(57)【要約】【課題】電子部品を損傷することなく容易に電子部品の傾きを防止してフローはんだ付けを行うことができるフローはんだパレットを提供する。【解決手段】回動軸７を中心として上蓋３を回動させて閉じ、上蓋３の先端部にロック部材８を係合させて上蓋３を閉鎖状態にロックすると、電子部品傾き防止治具１１の傾斜面が電子部品１３に当接することにより電子部品１３の傾きが矯正されると共に電子部品１３が再び傾くことが防止される。配線板押さえ部材１０によりプリント配線板１が本体２の開口部６の周縁に押圧され、この状態で本体２の下半部が溶融はんだＳの表層に浸けられ、本体２の開口部６から露出しているプリント配線板１の裏面のはんだ付け部に溶融はんだＳを接触させることで、スルーホール１２を通してプリント配線板１の裏面側に突出したリード１４が配線パターンにはんだ付けされる。【選択図】図３
2008235456.tif 000002
【特許請求の範囲】
【請求項１】
プリント配線板を保持して前記プリント配線板のはんだ付け部にフローはんだ付けを行うためのフローはんだパレットであって、
プリント配線板を保持すると共に前記プリント配線板のはんだ付け部を露出させるための開口部が形成された本体と、
前記本体に対して開閉自在に配置された上蓋と、
前記上蓋の前記本体に対向する面に取り付けられると共に前記上蓋を閉じたときに前記本体に保持されている前記プリント配線板に対して傾斜する傾斜面を有する電子部品傾き防止治具と
を備え、前記上蓋を前記本体に対して閉じることにより、前記プリント配線板のスルーホールにリードが挿入された電子部品に前記電子部品傾き防止治具の前記傾斜面が当接して前記電子部品の傾きを防止することを特徴とするフローはんだパレット。
【発明の詳細な説明】
【技術分野】
【０００１】
この発明は、フローはんだパレットに係り、特にプリント配線板を保持してプリント配線板のはんだ付け部にフローはんだ付けを行うためのフローはんだパレットに関する。
【背景技術】
【０００２】
従来から、プリント配線板に多数の電子部品を搭載する際には、プリント配線板の表面側から多数のスルーホールにそれぞれ対応する電子部品のリードを挿入し、この状態で配線パターンが形成されているプリント配線板の裏面に溶融はんだを接触させるフローはんだ付け法が多く用いられている。このフローはんだ付け法により、同時に多数の電子部品のリードを配線パターンにはんだ付けすることができる。
ただし、一般に、リードを挿入しやすくするためにリード径よりも大きな内径を有するスルーホールがプリント配線板に形成されており、フローはんだ付けを行う際に、スルーホールに電子部品のリードが挿入されたプリント配線板を搬送すると、振動等により電子部品が傾くことがある。このように電子部品が傾いたままプリント配線板にはんだ付けされると、はんだ不良を生じるおそれがある。
【０００３】
そこで、特許文献１には、ロッド状の連結部材に板状の複数の支持部材を取り付け、これら支持部材をプリント配線板上の電子部品に当接させて電子部品の傾きを防止する治具が開示されている。
【０００４】
【特許文献１】特開平８−１８２０８号公報
【発明の開示】
【発明が解決しようとする課題】
【０００５】
しかしながら、特許文献１の治具では、治具をプリント配線板に装着するために、連結部材に取り付けられた複数の支持部材をそれぞれ対応するプリント配線板上の電子部品に当接させなければならず、この治具の装着作業に時間と手間がかかるという問題があった。
また、治具を装着する際に、支持部材が電子部品に衝突して電子部品を損傷するおそれがある。
この発明はこのような問題点を解消するためになされたもので、電子部品を損傷することなく容易に電子部品の傾きを防止してフローはんだ付けを行うことができるフローはんだパレットを提供することを目的とする。
【課題を解決するための手段】
【０００６】
この発明に係るフローはんだパレットは、プリント配線板を保持してプリント配線板のはんだ付け部にフローはんだ付けを行うためのフローはんだパレットであって、プリント配線板を保持すると共にプリント配線板のはんだ付け部を露出させるための開口部が形成された本体と、本体に対して開閉自在に配置された上蓋と、上蓋の本体に対向する面に取り付けられると共に上蓋を閉じたときに本体に保持されているプリント配線板に対して傾斜する傾斜面を有する電子部品傾き防止治具とを備え、上蓋を本体に対して閉じることにより、プリント配線板のスルーホールにリードが挿入された電子部品に電子部品傾き防止治具の傾斜面が当接して電子部品の傾きを防止するものである。
【発明の効果】
【０００７】
この発明によれば、本体に対して上蓋を閉じるだけで、電子部品を損傷することなく容易に電子部品の傾きを防止してフローはんだ付けを行うことができる。
【発明を実施するための最良の形態】
【０００８】
以下、この発明の実施の形態を添付図面に基づいて説明する。
図１にこの発明の実施の形態に係るフローはんだパレットを示す。フローはんだパレットは、プリント配線板１を保持する本体２と、本体２に対して開閉自在に取り付けられた上蓋３とを備えている。本体２は、ほぼ平板形状を有しており、その周縁部に沿って溶融はんだの流入を防ぐための立ち上がり部４が形成されている。本体２の表面上には、プリント配線板１を保持するための枠体５が突出形成され、枠体５の内側に、それぞれ本体２を貫通する複数の開口部６が形成されている。これらの開口部６は、枠体５に保持されるプリント配線板１の裏面のはんだ付け部を露出させるためのものである。
【０００９】
また、本体２の一端には、回動軸７が設定されており、この回動軸７を中心として上蓋３が回動することにより開閉されるように構成されている。一方、本体２の他端には、閉じられた上蓋３の先端部に係合するロック部材８が回動軸９の回りに回動自在に配置されている。ロック部材８は、フック形状を有すると共に、図示しないバネにより図１に示されるような直立状態になるように付勢されている。
【００１０】
上蓋３を閉じたときに本体２に対向する上蓋３の内側の面には、複数の配線板押さえ部材１０と複数の電子部品傾き防止治具１１とが取り付けられている。配線板押さえ部材１０は、上蓋３を閉じたときにプリント配線板１の表面に当接されるゴム等からなる当接部材１０ａと、この当接部材１０ａをプリント配線板１の表面に向かって付勢するバネ１０ｂとを有しており、本体２の開口部６の周縁に対応する上蓋３の位置に固定されている。
【００１１】
また、プリント配線板１には、複数のスルーホール１２が形成され、プリント配線板１の表面側からこれらのスルーホール１２にそれぞれ電子部品１３のリード１４が挿入されている。プリント配線板１の裏面には、図示しない配線パターンが形成されており、スルーホール１２を通してプリント配線板１の裏面側に突出したリード１４が配線パターンにはんだ付けされることとなる。
【００１２】
ここで、各スルーホール１２は、電子部品１３のリード１４を挿入しやすくするためにリード１４の径よりも大きな内径を有しているおり、このため、樹脂封止型パッケージやシングル・インライン・パッケージからなる電子部品１３は図１に示されるように、例えば角度θだけ傾いた状態になりやすい。このように傾きやすい電子部品１３に対応する上蓋３の位置に電子部品傾き防止治具１１が固定されている。この電子部品傾き防止治具１１は、図２に示されるように、傾斜面１５を有している。傾斜面１５は、上蓋３を閉じたときに本体２に保持されているプリント配線板１に対して傾斜するように形成されている。また、電子部品傾き防止治具１１は、フローはんだ付けの際に高温に晒されるため、耐熱性を有すると共に、電子部品１３に当接しても電子部品１３が損傷しないような樹脂材料から形成されることが望ましい。
【００１３】
次に、この実施の形態に係るフローはんだパレットを用いたフローはんだ付けの方法について説明する。
まず、図１に示されるように、本体２から上蓋３を開き、複数のスルーホール１２にそれぞれ対応する電子部品１３のリード１４が挿入されたプリント配線板１を本体２の枠体５に保持させる。このとき、所定の電子部品１３は角度θだけ傾いた状態になっているものとする。
【００１４】
次に、図３に示されるように、回動軸７を中心として上蓋３を回動させて閉じ、上蓋３の先端部にロック部材８を係合させて上蓋３を閉鎖状態にロックする。このとき、図４（ａ）に示されるように、上蓋３の回動に伴って電子部品傾き防止治具１１が傾いている電子部品１３に接近し、電子部品傾き防止治具１１の傾斜面１５が電子部品１３に当接しつつ上蓋３が閉じられる。その結果、図４（ｂ）に示されるように、電子部品１３の傾きが矯正される。さらに、電子部品傾き防止治具１１の傾斜面１５が電子部品１３に当接しているので、電子部品１３が再び傾くことが防止される。
【００１５】
また、上蓋３を閉鎖状態としたことで、複数の配線板押さえ部材１０によりプリント配線板１が本体２の開口部６の周縁に押圧される。この状態で、図３に示されるように、本体２の下半部が溶融はんだＳの表層に浸けられ、本体２の開口部６から露出しているプリント配線板１の裏面のはんだ付け部に溶融はんだＳを接触させる。これにより、スルーホール１２を通してプリント配線板１の裏面側に突出したリード１４が配線パターンにはんだ付けされる。
このとき、複数の配線板押さえ部材１０によってプリント配線板１が本体２の開口部６の周縁に押圧されているので、溶融はんだＳが開口部６を通って本体２とプリント配線板１との間に流入することが防止される。
【００１６】
以上のようにして、電子部品１３を傾かせることなく直立した状態ではんだ付けすることができ、はんだ付けの信頼性が向上する。
なお、傾きやすい電子部品１３に対応する上蓋３の位置に電子部品傾き防止治具１１が固定されているため、本体２にプリント配線板１を保持させて上蓋３を閉じるだけで極めて容易に且つ電子部品１３を損傷することなく、電子部品１３の傾きを防止してフローはんだ付けを行うことが可能となる。
【００１７】
上述した実施の形態で用いられた電子部品傾き防止治具１１は、一つの傾斜面１５を有する楔状の断面形状を有していたが、これに限るものではなく、例えば図５に示されるように、互いに対向する一対の傾斜面１５を有する電子部品傾き防止治具１６を用いることもできる。このような電子部品傾き防止治具１６を用いれば、図５における左右いずれの方向に対する電子部品１３の傾きをも矯正し且つ防止することが可能となる。
【図面の簡単な説明】
【００１８】
【図１】この発明の実施の形態に係るフローはんだパレットの上蓋を開いた状態を示す断面図である。
【図２】実施の形態に係るフローはんだパレットに用いられた電子部品傾き防止治具を示す側面断面図である。
【図３】実施の形態に係るフローはんだパレットの上蓋を閉じた状態を示す断面図である。
【図４】上蓋を閉じるときの電子部品傾き防止治具と電子部品との関係を示す側面断面図である。
【図５】変形例に係る電子部品傾き防止治具を示す側面断面図である。
【符号の説明】
【００１９】
１  プリント配線板、２  本体、３  上蓋、４  立ち上がり部、５  枠体、６  開口部、７，９  回動軸、８  ロック部材、１０  配線板押さえ部材、１１，１６  電子部品傾き防止治具、１２  スルーホール、１３  電子部品、１４  リード、１５  傾斜面。
【図１】
2008235456.tif 000003
【図２】
2008235456.tif 000004
【図３】
2008235456.tif 000005
【図４】
2008235456.tif 000006
【図５】
2008235456.tif 000007